(57)【特許請求の範囲】
【請求項１】
ポインティングデバイスからの入力情報に対応して作成され、表示画面上に表示されるポインタの位置の情報であるポインタ情報と、周囲の音声を取得する音声取得手段によって取得された音声に基づいて作成される音声データとを、自装置とは異なる通信装置との間で互いに送受信可能な通信装置であって、
自装置とは異なる前記通信装置の前記音声データを取得する音声データ取得手段と、
自装置とは異なる前記通信装置の前記ポインタ情報を取得するポインタ情報取得手段と、
前記ポインタ情報取得手段によって取得された前記ポインタ情報に基づく前記ポインタの位置が、所定の距離以上移動したか否かを判断する移動判断手段と、
前記移動判断手段によって所定の距離以上移動したと判断された前記ポインタの前記ポインタ情報を作成した前記通信装置が作成した前記音声データに基づく音声の音量が、他の通信装置が作成した前記音声データに基づく音声の音量より大きくなるように、前記音声データ取得手段によって取得された前記音声データを調整する音声調整手段と、
前記音声調整手段によって調整された前記音声データに基づく音声を、音声を出力する音声出力手段に出力させる音声出力制御手段と
を備えたことを特徴とする通信装置。
【請求項２】
前記音声データ取得手段は、自装置とは異なる前記通信装置と自装置との前記音声データを取得し、
前記ポインタ情報取得手段は、自装置とは異なる前記通信装置と自装置との前記ポインタ情報を取得することを特徴とする請求項１に記載の通信装置
【請求項３】
資料の画像のデータである資料画像データに基づく前記資料の画像を、前記表示画面に表示させる表示制御手段を備え、
前記移動判断手段は、前記ポインタ情報取得手段によって取得された前記ポインタ情報に基づく前記ポインタの位置が、前記表示制御手段によって前記表示画面に表示された前記資料の画像上で所定の距離以上移動したか否かを判断することを特徴とする請求項１または２に記載の通信装置。
【請求項４】
前記音声データ取得手段によって取得された前記音声データに基づく音声の音量が、所定の音量以上であるか否かを判断する音量判断手段と、
一の前記通信装置が作成した前記音声データに基づく音声の音量が、前記音量判断手段によって所定の音量以上であると判断され、且つ、当該一の通信装置が作成した前記ポインタ情報に基づく前記ポインタの位置が、前記移動判断手段によって所定の距離以上移動したと判断された場合に、当該一の通信装置が作成した前記ポインタ情報に基づく前記ポインタと、他の前記通信装置が作成した前記ポインタ情報に基づく前記ポインタとを異なる表示で前記表示画面に表示させるポインタ表示制御手段と
を備えたことを特徴とする請求項１から３のいずれかに記載の通信装置。
【請求項５】
前記ポインタ表示制御手段は、一の前記通信装置が作成した前記音声データに基づく音声の音量が、前記音量判断手段によって所定の音量以上であると判断され、且つ、当該一の通信装置が作成した前記ポインタ情報に基づく前記ポインタの位置が、前記移動判断手段によって所定の距離以上移動していないと判断された場合に、当該一の通信装置が作成した前記ポインタ情報に基づく前記ポインタを点滅させて、前記表示画面に表示させることを特徴とする請求項４に記載の通信装置。
【請求項６】
前記ポインタ表示制御手段は、一の前記通信装置が作成した前記音声データに基づく音声の音量が、前記音量判断手段によって所定の音量以上であると判断され、且つ、当該一の通信装置が作成した前記ポインタ情報に基づく前記ポインタの位置が、前記移動判断手段によって所定の距離以上移動していないと判断された場合に、当該一の通信装置が作成した前記ポインタ情報に基づく前記ポインタを移動させた後に前記表示画面から消去することを特徴とする請求項４に記載の通信装置。
【請求項７】
ポインティングデバイスからの入力情報に対応して作成される、表示画面上に表示されるポインタの位置の情報であるポインタ情報と、周囲の音声を取得する音声取得手段によって取得された音声に基づいて作成されるデータである音声データとを、自装置とは異なる複数の通信装置との間で互いに送受信可能な通信装置において実行される通信制御方法であって、
自装置とは異なる前記通信装置の前記音声データを取得する音声データ取得ステップと、
自装置とは異なる前記通信装置の前記ポインタ情報を取得するポインタ情報取得ステップと、
前記ポインタ情報取得ステップによって取得された前記ポインタ情報に基づく前記ポインタの位置が、所定の距離以上移動したか否かを判断する移動判断ステップと、
前記移動判断ステップによって所定の距離以上移動したと判断された前記ポインタの前記ポインタ情報を作成した前記通信装置が作成した前記音声データに基づく音声の音量が、他の通信装置が作成した前記音声データに基づく音声の音量より大きくなるように、前記音声データ取得ステップによって取得された前記音声データを調整する音声調整ステップと、
前記音声調整ステップによって調整された前記音声データに基づく音声を、音声を出力する音声出力手段に出力させる音声出力制御ステップと
を備えたことを特徴とする通信制御方法。
【請求項８】
ポインティングデバイスからの入力情報に対応して作成される、表示画面上に表示されるポインタの位置の情報であるポインタ情報と、周囲の音声を取得する音声取得手段によって取得された音声に基づいて作成されるデータである音声データとを、自装置とは異なる複数の通信装置との間で互いに送受信可能な通信装置において実行される通信制御プログラムであって、
通信装置のＣＰＵに、
自装置とは異なる前記通信装置の前記音声データを取得する音声データ取得ステップと、
自装置とは異なる前記通信装置の前記ポインタ情報を取得するポインタ情報取得ステップと、
前記ポインタ情報取得ステップによって取得された前記ポインタ情報に基づく前記ポインタの位置が、所定の距離以上移動したか否かを判断する移動判断ステップと、
前記移動判断ステップによって所定の距離以上移動したと判断された前記ポインタの前記ポインタ情報を作成した前記通信装置が作成した前記音声データに基づく音声の音量が、他の通信装置が作成した前記音声データに基づく音声の音量より大きくなるように、前記音声データ取得ステップによって取得された前記音声データを調整する音声調整ステップと、
前記音声調整ステップによって調整された前記音声データに基づく音声を、音声を出力する音声出力手段に出力させる音声出力制御ステップと
を実行させることを特徴とする通信制御プログラム。
【発明の詳細な説明】
【技術分野】
【０００１】
本発明は、音声データを送受信することが可能な通信装置、通信制御方法、および通信制御プログラムに関する。
【背景技術】
【０００２】
従来、それぞれ離れた拠点に設置された複数の通信装置の間で、音声データを相互に送受信し、会議を行うことができる通信装置が知られている。このような通信装置では、例えば、資料の画像を複数拠点で共有し、音声データを相互に送受信してプレゼンテーションを行うことができる。（例えば、特許文献１参照）
【先行技術文献】
【特許文献】
【０００３】
【特許文献１】特開２００１−３３１４３０号公報
【発明の概要】
【発明が解決しようとする課題】
【０００４】
しかしながら、従来の通信装置では、会議中に複数の拠点のユーザが同時に発言した場合に、スピーカから出力されるユーザの声が混じり合う。このため、例えば、会議の進行や資料のプレゼンテーションなどをしているユーザの声が聞き取り難くなる場合があった。
【０００５】
本発明の目的は、特定のユーザの声を聞き取り易くすることが可能な通信装置、通信制御方法、および通信制御プログラムを提供することである。
【課題を解決するための手段】
【０００６】
本発明の第１の態様に係る通信装置は、ポインティングデバイスからの入力情報に対応して作成され、表示画面上に表示されるポインタの位置の情報であるポインタ情報と、周囲の音声を取得する音声取得手段によって取得された音声に基づいて作成される音声データとを、自装置とは異なる複数の通信装置との間で互いに送受信可能な通信装置であって、自装置とは異なる前記通信装置の前記音声データを取得する音声データ取得手段と、自装置とは異なる前記通信装置の前記ポインタ情報を取得するポインタ情報取得手段と、前記ポインタ情報取得手段によって取得された前記ポインタ情報に基づく前記ポインタの位置が、所定の距離以上移動したか否かを判断する移動判断手段と、前記移動判断手段によって所定の距離以上移動したと判断された前記ポインタの前記ポインタ情報を作成した前記通信装置が作成した前記音声データに基づく音声の音量が、他の通信装置が作成した前記音声データに基づく音声の音量より大きくなるように、前記音声データ取得手段によって取得された前記音声データを調整する音声調整手段と、前記音声調整手段によって調整された前記音声データに基づく音声を、音声を出力する音声出力手段に出力させる音声出力制御手段とを備えている。
【０００７】
この場合、音声調整手段は、ポインタが所定の距離以上動いた通信装置の音量を、他の通信装置の音量より大きくするように、音声データを調整する。そして、音声出力制御手段が音声出力手段に出力させる。このため、例えば、複数のユーザが同時に発言した場合でも、ポインタを動かしているユーザの声が、他のユーザの声より大きく聞こえる。つまり、ポインタを動かしているユーザの声がより聞こえ易くなる。
【０００８】
前記通信装置において、前記音声データ取得手段は、自装置とは異なる前記通信装置と自装置との前記音声データを取得し、前記ポインタ情報取得手段は、自装置とは異なる前記通信装置と自装置との前記ポインタ情報を取得してもよい。この場合、自装置とは異なる通信装置と自装置との音声データおよびポインタ情報が取得される。そして、音声調整手段は、ポインタが所定の距離以上動いた通信装置の音量を、他の通信装置の音量より大きくするように、音声データを調整する。そして、音声出力制御手段が音声出力手段に出力させる。このため、例えば、複数のユーザが同時に発言した場合でも、ポインタを動かしているユーザの声が、他のユーザの声より大きく聞こえる。つまり、ポインタを動かしているユーザの声がより聞こえ易くなる。
【０００９】
前記通信装置において、資料の画像のデータである資料画像データに基づく前記資料の画像を、前記表示画面に表示させる表示制御手段を備え、前記移動判断手段は、前記ポインタ情報取得手段によって取得された前記ポインタ情報に基づく前記ポインタの位置が、前記表示制御手段によって前記表示画面に表示された前記資料の画像上で所定の距離以上移動したか否かを判断してもよい。資料の画像上でポインタを動かしているユーザは、資料の説明をしている可能性が高い。音声調整手段は、ポインタが資料の画像上で所定の距離以上移動した通信装置の音量を、他の通信装置の音量より大きくするように、音声データを調整する。そして、音声出力制御手段が音声出力手段に出力する。このため、資料を説明している可能性の高いユーザの声がより聞こえ易くなる。
【００１０】
前記通信装置において、前記音声データ取得手段によって取得された前記音声データに基づく音声の音量が、所定の音量以上であるか否かを判断する音量判断手段と、一の前記通信装置が作成した前記音声データに基づく音声の音量が、前記音量判断手段によって所定の音量以上であると判断され、且つ、当該一の通信装置が作成した前記ポインタ情報に基づく前記ポインタの位置が、前記移動判断手段によって所定の距離以上移動したと判断された場合に、当該一の通信装置が作成した前記ポインタ情報に基づく前記ポインタと、他の前記通信装置が作成した前記ポインタ情報に基づく前記ポインタとを異なる表示で前記表示画面に表示させるポインタ表示制御手段とを備えてもよい。
【００１１】
この場合において、音量判断手段によって所定の音量以上であると判断された場合とは、ユーザが発言をしている場合である。また、移動判断手段によってポインタの位置が所定の距離以上移動したか否かによって、音声出力手段から出力される音量が異なる。発言をし、且つ、ポインタを所定の距離以上移動させたユーザが操作する通信装置のポインタと、他の通信装置のポインタとが異なる表示で表示されることで、視覚的に、音量が大きくなっている通信装置、または、音量が小さくなっている通信装置を確認することができる。
【００１２】
前記通信装置において、前記ポインタ表示制御手段は、一の前記通信装置が作成した前記音声データに基づく音声の音量が、前記音量判断手段によって所定の音量以上であると判断され、且つ、当該一の通信装置が作成した前記ポインタ情報に基づく前記ポインタの位置が、前記移動判断手段によって所定の距離以上移動していないと判断された場合に、当該一の通信装置が作成した前記ポインタ情報に基づく前記ポインタを点滅させて、前記表示画面に表示させてもよい。この場合、音量が所定の音量以上、且つポインタが所定の距離以上移動していない通信装置の音量は、音量が所定の音量以上、且つポインタが所定の距離以上移動した通信装置の音量より小さくなる。この場合に、音量が所定の音量以上、且つポインタが所定の距離以上移動していない通信装置のポインタを点滅させて表示画面に表示させることで、音量が小さくなっていることをユーザに報知することができる。
【００１３】
前記通信装置において、前記ポインタ表示制御手段は、一の前記通信装置が作成した前記音声データに基づく音声の音量が、前記音量判断手段によって所定の音量以上であると判断され、且つ、当該一の通信装置が作成した前記ポインタ情報に基づく前記ポインタの位置が、前記移動判断手段によって所定の距離以上移動していないと判断された場合に、当該一の通信装置が作成した前記ポインタ情報に基づく前記ポインタを移動させた後に前記表示画面から消去してもよい。この場合、音量が所定の音量以上、且つポインタが所定の距離以上移動していない通信装置の音量は、音量が所定の音量以上、且つポインタが所定の距離以上移動した通信装置の音量より小さくなる。この場合に、音量が所定の音量以上、且つポインタが所定の距離以上移動していない通信装置のポインタを移動させて消去することで、音量が、小さくなっていることをユーザに報知することができる。
【００１４】
本発明の第２の態様に係る通信制御方法は、ポインティングデバイスからの入力情報に対応して作成される、表示画面上に表示されるポインタの位置の情報であるポインタ情報と、周囲の音声を取得する音声取得手段によって取得された音声に基づいて作成されるデータである音声データとを、自装置とは異なる複数の通信装置との間で互いに送受信可能な通信装置において実行される通信制御方法であって、自装置とは異なる前記通信装置の前記音声データを取得する音声データ取得ステップと、自装置とは異なる前記通信装置の前記ポインタ情報を取得するポインタ情報取得ステップと、前記ポインタ情報取得ステップによって取得された前記ポインタ情報に基づく前記ポインタの位置が、所定の距離以上移動したか否かを判断する移動判断ステップと、前記移動判断ステップによって所定の距離以上移動したと判断された前記ポインタの前記ポインタ情報を作成した前記通信装置が作成した前記音声データに基づく音声の音量が、他の通信装置が作成した前記音声データに基づく音声の音量より大きくなるように、前記音声データ取得ステップによって取得された前記音声データを調整する音声調整ステップと、前記音声調整ステップによって調整された前記音声データに基づく音声を、音声を出力する音声出力手段に出力させる音声出力制御ステップとを備えている。この場合、例えば、複数のユーザが同時に発言した場合でも、ポインタを動かしているユーザの声が、他のユーザの声より大きく聞こえる。つまり、ポインタを動かしているユーザの声がより聞こえ易くなる。
【００１５】
本発明の第３の態様に係る通信制御プログラムは、ポインティングデバイスからの入力情報に対応して作成される、表示画面上に表示されるポインタの位置の情報であるポインタ情報と、周囲の音声を取得する音声取得手段によって取得された音声に基づいて作成されるデータである音声データとを、自装置とは異なる複数の通信装置との間で互いに送受信可能な通信装置において実行される通信制御プログラムであって、通信装置のＣＰＵに、自装置とは異なる前記通信装置の前記音声データを取得する音声データ取得ステップと、自装置とは異なる前記通信装置の前記ポインタ情報を取得するポインタ情報取得ステップと、前記ポインタ情報取得ステップによって取得された前記ポインタ情報に基づく前記ポインタの位置が、所定の距離以上移動したか否かを判断する移動判断ステップと、前記移動判断ステップによって所定の距離以上移動したと判断された前記ポインタの前記ポインタ情報を作成した前記通信装置が作成した前記音声データに基づく音声の音量が、他の通信装置が作成した前記音声データに基づく音声の音量より大きくなるように、前記音声データ取得ステップによって取得された前記音声データを調整する音声調整ステップと、前記音声調整ステップによって調整された前記音声データに基づく音声を、音声を出力する音声出力手段に出力させる音声出力制御ステップとを実行させるこの場合、例えば、複数のユーザが同時に発言した場合でも、ポインタを動かしているユーザの声が、他のユーザの声より大きく聞こえる。つまり、ポインタを動かしているユーザの声がより聞こえ易くなる。
【図面の簡単な説明】
【００１６】
【図１】テレビ会議システム１の構成を示すブロック図である。
【図２】通信装置３の電気的構成を示すブロック図である。
【図３】ＨＤＤ３１４の記憶領域を示す概念図である。
【図４】ＲＡＭ３１３の記憶領域を示す概念図である。
【図５】ディスプレイ３１９に表示される画像の一例を示す図である。
【図６】状態データテーブル５１を示す模式図である。
【図７】設定結果データテーブル５２を示す模式図である。
【図８】メイン処理を示すフローチャートである。
【図９】画像音声再生処理を示すフローチャートである。
【図１０】第一処理を示すフローチャートである。
【図１１】第二処理を示すフローチャートである。
【図１２】仮設定処理を示すフローチャートである。
【図１３】仮設定データテーブル５３を示す模式図である。
【図１４】設定結果データテーブル５２を示す模式図である。
【図１５】通信装置３が設置されている拠点の状況を表した図である。
【図１６】通信装置４が設置されている拠点の状況を表した図である。
【図１７】通信装置５が設置されている拠点の状況を表した図である。
【図１８】仮設定データテーブル５３を示す模式図である。
【図１９】設定結果データテーブル５２を示す模式図である。
【図２０】仮設定データテーブル５３を示す模式図である。
【図２１】設定結果データテーブル５２を示す模式図である。
【図２２】仮設定データテーブル５３を示す模式図である。
【図２３】設定結果データテーブル５２を示す模式図である。
【図２４】変形例における通信装置５が設置されている拠点の状況を表した図である。
【図２５】変形例におけるメイン処理を示すフローチャートである。
【発明を実施するための形態】
【００１７】
以下、本発明に係る通信装置３，４，５の一実施の形態について、図面を参照して説明する。なおこれらの図面は、本発明が採用しうる技術的特徴を説明するために用いられるものであり、記載されている装置の構成、各種処理のフローチャートなどは、それのみに限定する趣旨ではなく、単なる説明例である。
【００１８】
図１を参照し、第一実施形態における通信装置３，４，５を構成要素とするテレビ会議システム１の構成について説明する。テレビ会議システム１は、ネットワーク２と通信装置３と通信装置４と通信装置５とを備えている。通信装置３，４，５は、ネットワーク２を介して相互に接続されている。テレビ会議システム１では、通信装置３，４，５の間において、ネットワーク２を介して画像データ、音声データ等が互いに送受信されることでテレビ会議が実施される。なお、図１において、通信装置３，４，５の３台がネットワーク２に接続されているが、台数は限定されず、例えば１０台がネットワーク２に接続されていてもよい。以後の説明では、通信装置３，４，５のいずれかを特定しない場合には、単に「通信装置」という。
【００１９】
通信装置３，４，５は、同一の電気的構成をしており、同一のプログラムが設定されている。通信装置４を使用しているユーザは、資料を用いて説明を行っている。通信装置４は、資料のデータを通信装置３，５に対して送信している。以後の説明では、資料を用いて説明を行っているユーザが操作する通信装置を通信装置４または資料送信装置という。
【００２０】
通信装置３，４，５の電気的構成について、図２を参照して説明する。なお、通信装置３，４，５の電気的構成は同一であるので、ここでは、通信装置３の電気的構成について説明する。
【００２１】
通信装置３は、ノート型のパーソナルコンピュータ３１（以下、ＰＣ３１という）と、入出力装置３４（以下、ＩＯ装置３４という。）とを備えている。ユーザは、ＰＣ３１とＩＯ装置３４とを使用して、通信装置４，５を使用するユーザとテレビ会議を行うことができる。ＩＯ装置３４は、画像を撮影して符号化したり、テレビ会議の音声データを復号して再生したりすることができる。ＰＣ３１は、ネットワーク２に接続して、通信装置４，５と各種のデータの通信を行うことができる。
【００２２】
ＰＣ３１の電気的構成の詳細について説明する。ＰＣ３１は、ＰＣ３１の制御を司るコントローラとしてのＣＰＵ８を備えている。ＣＰＵ８には、ＢＩＯＳ等を記憶したＲＯＭ３１２と、各種データを一時的に記憶するＲＡＭ３１３と、各種記憶エリアを有するハードディスクドライブ３１４（以下、ＨＤＤ３１４という。）が接続されている。ＣＰＵ８は、ＲＯＭ３１２、ＲＡＭ３１３、およびＨＤＤ３１４の各種記憶領域にアクセスできる。
【００２３】
ＣＰＵ８には、ネットワーク２と通信するための通信インターフェイス３１５（以下、通信Ｉ／Ｆ３１５という。）と、マウスやキーボードやディスプレイ３１９の前面に設置される透明なタッチパネルなどの入力部３１６と、ＣＤ−ＲＯＭドライブ３１７とが各々接続されている。ユーザは、入力部３１６を操作して、ディスプレイ３１９に表示されるポインタを操作することができる。ＣＤ−ＲＯＭドライブ３１７に挿入されるＣＤ−ＲＯＭ３１８には、例えば、本実施形態における各種のプログラム等が記憶されている。ＣＤ−ＲＯＭ３１８の導入時には、各種プログラム等が、ＣＤ−ＲＯＭ３１８からＨＤＤ３１４にセットアップされて、後述するプログラム記憶領域３１４１に記憶される。
【００２４】
ＣＰＵ８には、ディスプレイ３１９に接続される映像デコーダ３２０が接続されている。本実施形態では、ディスプレイ３１９は、ＰＣ３１に外付けされている。映像デコーダ３２０は、通信装置４，５から送信される画像データを復号し、ディスプレイ３１９に表示する。また、映像デコーダ３２０は、各通信装置３，４，５のユーザが操作するポインタをディスプレイ３１９に表示する。
【００２５】
ＣＰＵ８には、電源制御部３２２が接続されている。電源制御部３２２は、ＰＣ３１に内蔵された電池３２１に接続されている。電源制御部３２２は、電池３２１から供給された電力を各種回路に供給する。ＣＰＵ８やその他の各種デバイスは、電源制御部３２２を介して電池３２１によって供給される電力によって駆動する。なお、電源制御部３２２は、ＡＣアダプタ３２３と接続されることによって、電池３２１を充電することが可能である。
【００２６】
ＣＰＵ８には、時間を計測するためのタイマ３２４が接続されている。ＣＰＵ８は、タイマ３２４を使用して時間を計測することができる。ＣＰＵ８には、ＵＳＢ（Ｕｎｉｖｅｒｓａｌ  Ｓｅｒｉａｌ  Ｂｕｓ）インターフェイス３２５（以下、ＵＳＢ−Ｉ／Ｆ３２５という。）が接続されている。ＵＳＢ−Ｉ／Ｆ３２５は、ＵＳＢケーブル３２６を介して、後述するＩＯ装置３４のＵＳＢ−Ｉ／Ｆ３５１に接続されている。ＣＰＵ８は、ＵＳＢ−Ｉ／Ｆ３２５、ＵＳＢケーブル３２６、およびＵＳＢ−Ｉ／Ｆ３５１を介して、ＩＯ装置３４のＣＰＵ９と相互に通信を行うことができる。
【００２７】
図３を参照して、ＨＤＤ３１４の各種記憶領域について説明する。ＨＤＤ３１４には、プログラム記憶領域３１４１および状態データテーブル記憶領域３１４２が少なくとも設けられている。プログラム記憶領域３１４１には、ＣＰＵ８が各種の処理等を実行するために必要なプログラムデータが記憶されている。状態データテーブル記憶領域３１４２には、後述する状態データテーブル５１が記憶されている。
【００２８】
図４を参照して、ＲＡＭ３１３の各種記憶領域について説明する。ＲＡＭ３１３は、座標データ記憶領域３１３１、設定結果データテーブル記憶領域３１３２、および仮設定データテーブル記憶領域３１３３を少なくとも備えている。座標データ記憶領域３１３１には、後述する座標データが記憶される。設定結果データテーブル記憶領域３１３２には、後述する設定結果データテーブル５２が記憶される。仮設定データテーブル記憶領域３１３３には、後述する仮設定データテーブル５３が記憶される。
【００２９】
図２を参照して、ＩＯ装置３４の電気的構成の詳細について説明する。ＩＯ装置３４は、ＩＯ装置３４の制御を司るコントローラとしてのＣＰＵ９を備えている。ＣＰＵ９には、ＢＩＯＳ等を記憶したＲＯＭ３４２と、各種データを一時的に記憶するＲＡＭ３４３とが接続されている。ＣＰＵ９は、ＲＯＭ３４２とＲＡＭ３４３の各種記憶領域にアクセスできる。
【００３０】
ＣＰＵ９には、カメラ３４４に接続された映像エンコーダ３４５が接続されている。ＣＰＵ９は、映像エンコーダ３４５を使用して、カメラ３４４によって撮像される画像を符号化し、画像データを作成する。画像データは、ＣＰＵ９からＣＰＵ８に送信され、通信Ｉ／Ｆ３１５とネットワーク２を介して、通信装置４，５に送信される。
【００３１】
ＣＰＵ９には、音声エンコーダ３４６が接続されている。音声エンコーダ３４６は、エコーキャンセラ３４７を介してマイク３４８に接続されている。ＣＰＵ９には、音声デコーダ３４９が接続されている。音声デコーダ３４９は、エコーキャンセラ３４７を介してスピーカ３５０に接続されている。エコーキャンセラ３４７は、エコーやハウリングの発生を防止する回路である。マイク３４８は、テレビ会議を行う際に通信装置３のユーザの声を収集するために設けられている。マイク３４８から入力された音声は、音声エンコーダ３４６によって符号化される。そして、ＣＰＵ９からＰＣ３１のＣＰＵ８に送信され、通信Ｉ／Ｆ３１５とネットワーク２とを介して、通信装置４，５に送信される。
【００３２】
スピーカ３５０は、会議の音声を出力するために設けられている。ネットワーク２と通信Ｉ／Ｆ３１５とを介して入力された通信装置４，５から送信される音声データは、ＣＰＵ８からＣＰＵ９に送信され、音声デコーダ３４９で復号され、スピーカ３５０で音声として出力される。これによって通信装置３のユーザはテレビ会議の音声を聞くことができる。出力される音声の音量は、種々の条件により調整されるが、詳細については、後述する。
【００３３】
ＣＰＵ９には、ＵＳＢ−Ｉ／Ｆ３５１が接続されている。ＵＳＢ−Ｉ／Ｆ３５１は、ＵＳＢケーブル３２６を介して、ＰＣ３１のＵＳＢ−Ｉ／Ｆ３２５に接続されている。ＣＰＵ９には、電源制御部３５３が接続されている。電源制御部３５３は、ＡＣアダプタ３５４に接続されている。電源制御部３５３は、ＡＣアダプタ３５４から供給される外部電源の電力を各種回路に供給する。ＣＰＵ９やその他の各種デバイスは、電源制御部３５３から供給される電力によって駆動する。
【００３４】
図５を参照して、テレビ会議が行われる場合における、ディスプレイ３１９に表示される画像の一例について説明する。ここでは、通信装置３のディスプレイ３１９に表示される画像について説明する。ディスプレイ３１９の左部には、自装置とは異なる通信装置４，５におけるユーザの画像が表示されている。このユーザの画像は、通信装置４，５のカメラ３４４（図２参照）によって撮影されたものである。ディスプレイ３１９のユーザの画像が表示されているエリアの右側には、資料画像３１９１が表示されている。資料画像３１９１は、資料送信装置である通信装置４から、通信装置３，５に送信されている。通信装置３のユーザは、資料画像３１９１や、通信装置４，５におけるユーザの画像を確認しながら、テレビ会議を行うことができる。
【００３５】
ディスプレイ３１９には、ポインタ６１Ａ，６１Ｂ，６１Ｃが表示されている。ポインタ６１Ａは、通信装置３のユーザが操作するポインタである。ポインタ６１Ｂは、通信装置４のユーザが操作するポインタである。ポインタ６１Ｃは、通信装置５のユーザが操作するポインタである。なお、図６に示すポインタ６１Ａ，６１Ｂ，６１Ｃは、後述する「標準」の設定で表示されている場合を示している。
【００３６】
図６を参照して、状態データテーブル５１について説明する。状態データテーブル５１は、状態データテーブル記憶領域３１４２（図３参照）に記憶されている。状態データテーブル５１では、第一状態、第二状態、および第三状態が、それぞれ、ポインタ表示と音量とに対応付けられて登録されている。第一状態は、ポインタ表示「標準」と音量「標準」と対応つけられている。第二状態は、ポインタ表示「点滅」と音量「小」とに対応付けられている。第三状態は、ポインタ表示「非表示」と音量「小」とに対応付けられている。
【００３７】
ポインタ表示「標準」とは、通常のポインタの形状で表示させる設定であり、本実施形態では、白色の矢印である。ポインタ表示「点滅」とは、ポインタを点滅させて表示させる設定である、ポインタ表示「非表示」とは、ポインタをディスプレイ３１９に表示させない設定である。音量「標準」とは、通常の音量で音声を出力する設定である。音量「小」とは、音量「標準」の場合より小さい音量で音声を出力する設定である。ディスプレイ３１９に表示されるポインタと、スピーカ３５０から出力される音声の音量とは、これらの第一〜第三状態に対応したポインタ表示と音量とで表示、出力される。詳細については、後述する。
【００３８】
図７を参照して、設定結果データテーブル５２について説明する。設定結果データテーブル５２は、設定結果データテーブル記憶領域３１３２に記憶される。設定結果データテーブル５２は、通信装置３，４，５について、図６の状態データテーブル５１における第一〜第三状態のいずれに設定されているかが登録されている。例えば、通信装置３が記憶している設定結果データテーブル５２において、図７に示すように通信装置４の設定が「第一状態」である場合、通信装置３では、通信装置４から送信される座標データに基づく位置に表示させるポインタ表示を「標準」にし、通信装置４から送信される音声データに基づく音声の音量を「標準」にして出力する。詳細については後述する。図７に示す設定結果データテーブル５２において、通信装置３，４，５は、すべて第一状態に設定されている。なお、図７に示す設定結果データテーブル５２は、初期状態を表しており、後述するＳ４０５およびＳ４０６の処理（図１１参照）において、更新される。
【００３９】
次に、テレビ会議システム１による処理の一例について説明する。なお、以下で説明する各処理は、全ての通信装置３，４，５において行われる処理であるが、説明をわかりやすくするために、各処理において、通信装置３，４，５のうちのいずれか一の通信装置が行う処理として説明する。
【００４０】
まず、図８に示すフローチャートを参照して、メイン処理について説明する。ここでは、通信装置３におけるＰＣ３１のＣＰＵ８によるメイン処理について説明する。メイン処理は、後述する第一処理および第二処理を開始したり、画像や音声を出力したりする処理である。
【００４１】
メイン処理では、まず、入力部３１６を介して、ユーザによる会議の開始の指示が入力されたか否かが判断される（Ｓ１０１）。会議の開始の指示が入力されていない場合には（Ｓ１０１：ＮＯ）、Ｓ１０１に戻り処理が繰り返される。会議の終了の指示が入力された場合には（Ｓ１０１：ＹＥＳ）、第一処理（図１０参照）が開始される（Ｓ１０２）。第一処理については、後述する。次いで、第二処理（図１１参照）が開始される（Ｓ１０３）。第二処理については、後述する。なお、後述するＳ１０６の処理が実行されるまで、第一処理と第二処理とは、処理を継続する。次いで、画像音声再生処理が行われる（Ｓ１０４）。
【００４２】
図９を参照して、画像音声再生処理について説明する。画像音声再生処理は、音声を出力したり、画像やポインタを表示したりする処理である。画像音声再生処理では、自装置とは異なる通信装置４，５のＳ３０６の処理（図１０参照、後述）によって送信される画像データまたは資料画像データが受信されたか否かが判断される（Ｓ２０１）。受信されていない場合には（Ｓ２０１：ＮＯ）、後述するＳ２０３の処理が行われる。受信された場合には（Ｓ２０１：ＹＥＳ）、受信された画像データまたは資料画像データが復号され、ディスプレイ３１９に表示される（Ｓ２０２）。これによって、図５に示すような、資料画像３１９１や、通信装置４，５のユーザの画像が表示される。
【００４３】
次いで、自装置とは異なる通信装置４，５のＳ３０５の処理（図１０参照、後述）において送信される音声データが受信されたか否かが判断される（Ｓ２０３）。受信されていない場合には（Ｓ２０３：ＮＯ）、後述するＳ２０６の処理が行われる。受信された場合には（Ｓ２０３：ＹＥＳ）、受信された音声データが調整され、音量が変更される（Ｓ２０４）。Ｓ２０４の処理では、設定結果データテーブル５２および状態データテーブル５１が参照されて、音量が変更されるが、詳細については後述する。
【００４４】
次いで、調整された音声データが、ＣＰＵ８からＣＰＵ９に送信され、音声デコーダ３４９で復号されて、スピーカ３５０から出力される（Ｓ２０５）。つまり、設定結果データテーブル５２に登録されている通信装置４，５の状態に対応した音量で、スピーカ３５０から音声が出力される。
【００４５】
次いで、自装置とは異なる通信装置４，５のＳ３０４の処理（図１０参照、後述）において送信される座標データが受信されたか否かが判断される（Ｓ２０６）。受信されていない場合には（Ｓ２０６：ＮＯ）、画像音声再生処理が終了され、図８に示すＳ１０５の処理が行われる。受信された場合には（Ｓ２０６：ＹＥＳ）、Ｓ２０６で受信された座標データが座標データ記憶領域３１３１に記憶される（Ｓ２０７）。なお、座標データ記憶領域３１３１に記憶される座標データは、Ｓ５０３の処理（図１２参照、後述）において、ポインタが所定の距離以上移動したか否かを判断するために用いられる。このため、Ｓ５０３の処理においてポインタの移動が判断できる程度の時間（例えば、過去１秒間）の座標データのみを記憶しておけばよい。
【００４６】
次いで、Ｓ２０６の処理で受信された座標データに基づいて、通信装置４，５のポインタがディスプレイ３１９に表示される（Ｓ２０８）。Ｓ２０８の処理では、設定結果データテーブル５２および状態データテーブル５１が参照されて、ポインタの形状が調整された上で、ディスプレイ３１９にポインタが表示されるが、詳細については後述する。次いで、画像音声再生処理が終了され、図８に示すＳ１０５の処理が行われる。
【００４７】
Ｓ１０５の処理では、入力部３１６を介して、ユーザによって会議の終了の指示が入力されたか否かが判断される（Ｓ１０５）。会議の終了の指示が入力されていない場合には（Ｓ１０５：ＮＯ）、Ｓ１０４に戻り、処理が繰り返される。つまり、会議が継続される。会議の終了の指示が入力された場合には（Ｓ１０５：ＹＥＳ）、第一処理および第二処理が終了される（Ｓ１０６）。次いで、メイン処理が終了される。
【００４８】
図１０に示すフローチャートを参照して、第一処理について説明する。ここでは、通信装置３におけるＰＣ３１のＣＰＵ８による第一処理について説明する。第一処理は、ポインタの座標の検出、ポインタの表示、座標データや音声データの送信等を行う処理である。
【００４９】
第一処理では、まず、ユーザが操作する入力部３１６からの入力情報に基づいて、ディスプレイ３１９上におけるポインタの座標が検出される（Ｓ３０１）。次いで、Ｓ３０２の処理では、設定結果データテーブル５２および状態データテーブル５１が参照されて、ポインタの形状が調整された上で、ディスプレイ３１９にポインタが表示される（Ｓ３０２）。なお、Ｓ３０２の処理では、Ｓ３０１の処理で検出された座標の位置にポインタが表示される。
【００５０】
次いで、Ｓ３０１の処理で検出されたポインタの座標が、資料画像３１９１上にあるか否かが判断される（Ｓ３０３）。ポインタの座標が、資料画像３１９１上にある場合には（Ｓ３０３：ＹＥＳ）、ポインタの座標のデータである座標データが作成され、座標データが座標データ記憶領域３１３１に記憶され、自装置とは異なる通信装置４，５に送信される（Ｓ３０４）。Ｓ３０４の処理で送信された座標データは、通信装置４，５のＳ２０６の処理（図９参照）において受信される。なお、座標データ記憶領域３１３１に記憶される座標データは、Ｓ５０３の処理（図１２参照、後述）において、ポインタが所定の距離以上移動したか否かを判断するために用いられる。このため、Ｓ５０３の処理においてポインタの移動が判断できる程度の時間（例えば、過去１秒間）の座標データのみを記憶しておけばよい。
【００５１】
次いで、Ｓ３０５の処理が行われる。なお、Ｓ３０３の処理において、ポインタの座標が、資料画像３１９１上にないと判断された場合にも（Ｓ３０３：ＮＯ）、Ｓ３０５の処理が行われる。つまり、ポインタの座標が資料画像３１９１上にある場合にのみ座標データが送信され（Ｓ３０４）、ポインタの座標が資料画像３１９１上にない場合には、座標データは送信されない。
【００５２】
Ｓ３０５の処理では、周囲の音声の音声データが作成されて、自装置とは異なる通信装置４，５に送信される（Ｓ３０５）。音声データは、マイク３４８によって収集され、音声エンコーダ３４６によって符号化されたデータである。音声データは、ＣＰＵ９からＵＳＢ３２６を介してＣＰＵ８に送信され、ＣＰＵ８によってネットワーク２を介して自装置とは異なる通信装置４，５に送信される。送信された音声データは、通信装置４，５のＳ２０３の処理（図９参照）において受信される。
【００５３】
次いで、画像データが、自装置とは異なる通信装置４，５に送信される（Ｓ３０６）。画像データは、カメラ３４４によって撮像され、映像エンコーダ３４５によって符号化されたデータである。画像データは、ＣＰＵ９からＵＳＢ３２６を介してＣＰＵ８に送信され、ＣＰＵ８によってネットワーク２を介して自装置とは異なる通信装置４，５に送信される。送信された画像データは、通信装置４，５のＳ２０１の処理において受信される。なお、資料送信装置である通信装置４がＳ３０６の処理を行う場合、画像データと、資料の画像のデータである資料画像データが通信装置３，５に送信される。次いで、Ｓ３０１に戻り、処理が繰り返される。
【００５４】
図１１に示すフローチャートを参照して、第二処理について説明する。ここでは、通信装置３におけるＰＣ３１のＣＰＵ８による第二処理について説明する。第二処理は、設定結果データテーブル５２の更新等を行う処理である。
【００５５】
図１１に示すように、第二処理では、まず、通信装置３，４，５のうち、一の通信装置が選択される（Ｓ４０１）。Ｓ４０１の処理は、Ｓ４０３の処理において、全ての通信装置について、仮設定処理が行われていないと判断される度に実行されるが、通信装置３，４，５を順に選択する。次いで、仮設定処理が行われる（Ｓ４０２）。
【００５６】
図１２に示すフローチャートを参照して、仮設定処理について説明する。仮設定処理は、後述する仮設定データテーブル５３を作成する処理である。
【００５７】
図１２に示すように、仮設定処理では、座標データ記憶領域３１３１が参照され、Ｓ４０１の処理において選択された通信装置の過去の所定時間の間の座標データがあるか否かが判断される（Ｓ５０１）。過去の所定時間は、例えば、過去１秒間である。
【００５８】
例えば、通信装置３において、資料画像３１９１上にポインタがなければ（Ｓ３０３：ＮＯ、図１０参照）、Ｓ３０４の処理（図１０参照）が行われないため、座標データが座標データ記憶領域３１３１に記憶されない。また、自装置とは異なる通信装置４，５において、資料画像３１９１上にポインタがない場合は（Ｓ３０３：ＮＯ、図１０参照）、通信装置４，５のＳ３０４の処理（図１０参照）が行われないため、座標データは通信装置３に送信されない。このため、Ｓ２０６の処理（図９参照）において座標データは受信されず、Ｓ２０７の処理は行われない。つまり、ポインタが資料画像３１９１上にない場合には、座標データが座標データ記憶領域３１３１に記憶されない。よって、Ｓ５０１の処理では、過去の所定時間の間の座標データがあるか否かが判断されることによって、Ｓ４０１の処理において選択された通信装置のポインタが、資料画像３１９１上にあったか否かが判断されている。
【００５９】
Ｓ４０１の処理において選択された通信装置のポインタが、資料画像３１９１上にない場合には（Ｓ５０１：ＮＯ）、Ｓ４０１の処理において選択された通信装置が、状態データテーブル５１における「第三状態」に設定され、仮設定データテーブル５３（図１３参照）に登録される。
【００６０】
仮設定データテーブル５３は、通信装置３，４，５の第一〜第三状態等の設定状態を仮に登録しておくデータテーブルである。後述するＳ４０５およびＳ４０６の処理（図１１参照）において、仮設定データテーブル５３と、設定結果データテーブル５２とが参照されて、設定結果データテーブル５２が更新されるが、詳細については後述する。なお、仮設定データテーブル５３は、仮設定データテーブル記憶領域３１３３に記憶される。
【００６１】
Ｓ４０１の処理において選択された通信装置のポインタが、資料画像３１９１上にある場合には（Ｓ５０１：ＹＥＳ）、Ｓ４０１の処理において選択された通信装置が作成した音声データに基づく音声の音量が、所定の閾値以上であるか否かが判断される（Ｓ５０２）。所定の閾値は、例えば、５０ｄＢである。閾値は、ユーザが発言しない場合には、音量が閾値より小さくなり、ユーザが発言した場合には、ユーザの声によって音量が閾値以上になるように設定されている。つまり、Ｓ５０２の処理では、Ｓ４０１の処理において選択された通信装置を使用しているユーザが発言したか否かが判断されている。なお、Ｓ５０１において参照される音声データは、Ｓ３０５の処理（図１０参照）で作成される音声データ、もしくは、Ｓ２０３の処理で受信される音声データである。
【００６２】
音量が閾値より小さい場合には（Ｓ５０２：ＮＯ）、Ｓ４０１の処理において選択された通信装置が、状態データテーブル５１における「第三状態」に設定され、仮設定データテーブル５３（図１３参照）に記憶される。
【００６３】
音量が閾値以上である場合には（Ｓ５０２：ＹＥＳ）、座標データ記憶領域３１３１に記憶されている座標データが参照され、Ｓ４０１の処理において選択された通信装置のポインタが、所定時間の間に、所定の距離以上移動したか否かが判断される（Ｓ５０３）。ポインタが、所定時間の間に、所定の距離以上移動する場合とは、ユーザがポインタを操作している場合である。つまり、Ｓ５０３の処理では、ユーザがポインタを操作しているか否かが判断されている。なお、所定時間は、例えば、１秒である。また、所定の距離は、例えば、ディスプレイ３１９の画素で１０ピクセル分の距離である。
【００６４】
ポインタが、所定時間の間に、所定の距離以上移動していない場合には（Ｓ５０３：ＮＯ）、Ｓ４０１の処理において選択された通信装置が、状態データテーブル５１における「第二状態」に設定され、仮設定データテーブル５３（図１３参照）に記憶される。ポインタが、所定時間の間に、所定の距離以上移動した場合には（Ｓ５０３：ＹＥＳ）、Ｓ４０１の処理において選択された通信装置が、状態データテーブル５１における「第一状態」に設定され、仮設定データテーブル５３（図１３参照）に記憶される。Ｓ５０４、Ｓ５０５、またはＳ５０６の処理が行われたら、仮設定処理が終了され、図１１に示す第二処理に戻り、全ての通信装置４，５，６について、Ｓ４０２の仮設定処理が行われたか否かが判断される（Ｓ４０３）。全ての通信装置４，５，６について、Ｓ４０２の仮設定処理が行われていない場合には（Ｓ４０３：ＮＯ）、Ｓ４０１に戻り、処理が繰り返される。全ての通信装置４，５，６について、Ｓ４０２の仮設定処理が行われた場合には（Ｓ４０３：ＹＥＳ）、Ｓ４０４の処理が行われる。
【００６５】
例えば、以下の条件において、具体的に説明する。通信装置３において、ユーザがポインタを動かさず、資料画像３１９１上においてポインタが停止しており、ユーザが発言していないとする。また、通信装置４において、ユーザは、資料画像３１９１上でポインタを動かしながら資料の説明をしているとする。また、通信装置５において、ユーザがポインタを動かさず、資料画像３１９１上においてポインタが停止しており、ユーザが発言をしているとする。つまり、通信装置４のユーザの資料の説明のための発言と、通信装置５のユーザの発言とが同時にされている。以下この条件による例示を「第一具体例」という。
【００６６】
上記第一具体例において、図１１に示す第二処理では、通信装置３，４，５のうち、通信装置３を選択したとする（Ｓ４０１）。次いで、仮設定処理が行われる。図１２に示す仮設定処理では、座標データ記憶領域３１３１が参照され、Ｓ４０１の処理において選択された通信装置３の過去の所定時間の間の座標データがあるか否かが判断される（Ｓ５０１）。つまり、過去の所定時間の間に、通信装置３のポインタが、資料画像３１９１上にあったか否かが判断される（Ｓ５０１）。ここで、過去の所定時間は、過去１秒間であるとする。通信装置３のポインタは、資料画像３１９１上にあるので（Ｓ３０３：ＹＥＳ、図１０参照）、座標データは、Ｓ３０４の処理（図１０参照）において、座標データ記憶領域３１３１に記憶されている。
【００６７】
このため、通信装置３のポインタが、資料画像３１９１上にあると判断され（Ｓ５０１：ＹＥＳ）、通信装置３が作成した音声データに基づく音声の音量が、所定の閾値以上であるか否かが判断される（Ｓ５０２）。所定の閾値は、５０ｄＢであるとする。通信装置３のユーザは発言していないので、Ｓ３０５の処理（図１０参照）において作成された音声データに基づく音声の音量は、閾値より小さくなる（例えば、４７ｄＢ。）。よって、音量が閾値以上ではないと判断され（Ｓ５０２：ＮＯ）、通信装置３が、状態データテーブル５１における「第三状態」に設定され、仮設定データテーブル５３に記憶される。これによって、図１３に示すように、仮設定データテーブル５３において、通信装置３が第三状態に設定される。
【００６８】
次いで、仮設定処理が終了され、図１１に示す第二処理に戻り、通信装置４，５についてＳ４０２の処理が行われていないので、全ての通信装置４，５，６について、Ｓ４０２の仮設定処理が行われていないと判断され（Ｓ４０３：ＮＯ）、Ｓ４０１に戻り、処理が繰り返される。Ｓ４０１の処理において、通信装置４が選択されたとする。
【００６９】
通信装置４のポインタは、資料画像３１９１上で動いている。資料画像３１９１上にあるので、通信装置４のＳ３０４の処理（図１０参照）において、座標データが送信され、通信装置３のＳ２０６の処理（図９参照）で受信されて、座標データ記憶領域３１３１に記憶されている（図９のＳ２０７参照）。このため、図１２に示す仮設定処理において、通信装置４の過去１秒間の座標データがあると判断されることで、通信装置４のポインタが、資料画像３１９１上にあると判断される（Ｓ５０１：ＹＥＳ）。
【００７０】
次いで、Ｓ５０２の処理が行われる。通信装置４のユーザは資料の説明のために発言をしているので、通信装置４のＳ３０５の処理（図１０参照）によって作成、送信されて、通信装置３のＳ２０３の処理（図９参照）で受信された音声データに基づく音声の音量は、閾値より大きくなる（例えば、５３ｄＢ。）。よって、音量が閾値以上であると判断され（Ｓ５０２：ＹＥＳ）、座標データ記憶領域３１３１が参照され、通信装置４のポインタが、所定時間の間に、所定の距離以上移動したか否かが判断される（Ｓ５０３）。所定時間は１秒であり、所定の距離は１０ピクセル分の距離であるとする。通信装置４のユーザは、ポインタを動かしているので、１秒間に、ポインタが１０ピクセル分の距離以上移動している（例えば、４０ピクセル分移動）。このため、ポインタが所定時間の間に、所定の距離以上移動したと判断され（Ｓ５０３：ＹＥＳ）、通信装置４が、状態データテーブル５１における「第一状態」に設定され、仮設定データテーブル５３に記憶される。これによって、図１３に示すように、仮設定データテーブルにおいて、通信装置４が第一状態に設定される。
【００７１】
次いで、仮設定処理が終了され、図１１に示す第二処理に戻り、通信装置５についてＳ４０２の処理が行われていないので、全ての通信装置４，５，６について、Ｓ４０２の仮設定処理が行われていないと判断される（Ｓ４０３：ＮＯ）。そして、Ｓ４０１に戻り、通信装置５が選択される。
【００７２】
通信装置５のポインタは、資料画像３１９１上にあるが動いていない。ポインタが資料画像３１９１上にあるので、通信装置５のＳ３０４の処理（図１０参照）において、座標データが送信され、通信装置３のＳ２０６の処理（図９参照）で受信されて、座標データ記憶領域３１３１に記憶されている（図９のＳ２０７参照）。このため、図１２に示す仮設定処理において、通信装置５の過去１秒間の座標データがあると判断されることで、通信装置５のポインタが、資料画像３１９１上にあると判断される（Ｓ５０１：ＹＥＳ）。
【００７３】
次いで、Ｓ５０２の処理が行われる。通信装置５のユーザは、発言をしているので、通信装置５のＳ３０５の処理（図１０参照）によって作成、送信されて、通信装置３のＳ２０３の処理（図９参照）で受信された音声データに基づく音声の音量は、閾値より大きくなる（例えば、５３ｄＢ。）。よって、音量が閾値以上であると判断される（Ｓ５０２：ＹＥＳ）。そして、座標データ記憶領域３１３１が参照され、通信装置５のポインタが、所定時間の間に、所定の距離以上移動したか否かが判断される（Ｓ５０３）。通信装置５のユーザは、ポインタを動かしていない。このため、１秒間に、ポインタが１０ピクセル以上の移動していない。このため、ポインタが所定時間の間に、所定の距離以上移動していないと判断され（Ｓ５０３：ＮＯ）、通信装置５が、状態データテーブル５１における「第二状態」に設定され、仮設定データテーブル５３に記憶される。これによって、図１３に示すように、仮設定データテーブルにおいて、通信装置５が第二状態に設定される。次いで、仮設定処理が終了され、図１１に示す第二処理に戻り、全ての通信装置４，５，６についてＳ４０２の処理が行われたと判断され（Ｓ４０３：ＹＥＳ）、Ｓ４０４の処理が行われる。
【００７４】
Ｓ４０４の処理では、仮設定データテーブル５３と設定結果データテーブル５２とが参照され、設定結果データテーブル５２に登録されている第一状態の通信装置と、仮設定データテーブル５３に登録されている第一状態の通信装置とが、同じ通信装置であるか否かが判断される（Ｓ４０４）。同じ通信装置である場合には（Ｓ４０４：ＹＥＳ）、設定結果データテーブル５２の更新が行われる（Ｓ４０５）。
【００７５】
Ｓ４０５の処理では、仮設定データテーブル５３において、第一状態に設定されている通信装置が１台である場合には、仮設定データテーブル５３に登録されている通信装置３，４，５の状態が、設定結果データテーブル５２に登録されて更新される。仮設定データテーブル５３において、第一状態に設定されている通信装置が２台以上ある場合には、更新前の設定結果データテーブル５２において第一状態に設定されている通信装置は、そのまま第一状態に設定される。また、更新前の設定結果データテーブル５２において第一状態に設定されておらず、且つ、仮設定データテーブル５３で第一状態に設定されている通信装置は、更新前の設定結果データテーブル５２に登録されている状態のまま設定結果データテーブル５２に登録される。つまり、第一状態に設定されている通信装置が２台以上になることはない。詳細については、例を示して後述する。
【００７６】
Ｓ４０４の処理において、設定結果データテーブル５２に登録されている第一状態の通信装置と、仮設定データテーブル５３に登録されている第一状態の通信装置とが、同じ通信装置でないと判断された場合には（Ｓ４０４：ＮＯ）、設定結果データテーブル５２の更新が行われる（Ｓ４０６）。
【００７７】
Ｓ４０６の処理では、仮設定データテーブル５３において、第一状態に設定されている通信装置が１台である場合には、仮設定データテーブル５３に登録されている通信装置３，４，５の状態が、設定結果データテーブル５２に登録されて更新される。仮設定データテーブル５３において、第一状態に設定されている通信装置が２台以上ある場合には、第一状態に設定されている通信装置のうち、ランダムに１台が選択され、選択された通信装置が第一状態に設定され、設定結果データテーブル５２に登録される。選択されなかった通信装置は、更新前の設定結果データテーブル５２に登録されている状態のまま設定結果データテーブル５２に登録される。つまり、第一状態に設定されている通信装置が２台以上になることはない。詳細については例を示して後述する。
【００７８】
Ｓ４０５またはＳ４０６の処理が行われると、更新後の設定結果データテーブル５２の状態に基づいて、音声が調整され（図９のＳ２０４参照）、音声が出力され（図９のＳ２０５参照）、ポインタの形状が調整されて表示される（図９のＳ２０８、図１０のＳ３０２参照）。Ｓ４０５またはＳ４０６の処理が行われたら、次いで、所定の時間が経過したか否かが判断される（Ｓ４０７）。所定の時間は、例えば、１秒である。所定の時間が経過していない場合には（Ｓ４０７：ＮＯ）、Ｓ４０７に戻り処理が繰り返される。所定の時間が経過した場合には（Ｓ４０７：ＹＥＳ）、Ｓ４０１に戻り処理が繰り返される。つまり、所定の時間毎にＳ４０１〜Ｓ４０６の処理が繰り返される。
【００７９】
第一具体例の場合について説明する。第一具体例では、仮設定データテーブル５３（図１３参照）において、通信装置３、通信装置４、および通信装置５がそれぞれ、第三状態、第一状態、および第二状態に設定されている。また、設定結果データテーブル５２は、図７に示す初期状態のように、通信装置３，４，５が全て第一状態に設定されているとする。
【００８０】
この場合、仮設定データテーブル５３に登録されている第一状態の通信装置４と、設定結果データテーブル５２に登録されている第一状態の通信装置４とが、同じ通信装置であると判断される（Ｓ４０４：ＹＥＳ）。次いで、設定結果データテーブル５２の更新が行われる（Ｓ４０５）。
【００８１】
Ｓ４０５の処理では、仮設定データテーブル５３において、第一状態に設定されている通信装置が１台である場合には、仮設定データテーブル５３に登録されている通信装置３，４，５の状態が、設定結果データテーブル５２に登録されて更新される。図１３に示す仮設定データテーブル５３では、第一状態に設定されている通信装置は、通信装置４の１台のみである。このため、図１３に示す仮設定データテーブル５３に登録されている通信装置３，４，５の状態が、設定結果データテーブル５２に登録されて更新される。これによって、図１４に示すように、設定結果データテーブル５２において、通信装置３、通信装置４、および通信装置５がそれぞれ、第三状態、第一状態、および第二状態に設定される（Ｓ４０５）。
【００８２】
Ｓ４０５の処理が行われると、更新後の設定結果データテーブル５２（図１４参照）の状態に基づいて、音声が調整され（図９のＳ２０４参照）、音声が出力され（図９のＳ２０５参照）、ポインタの形状が調整されて表示される（図９のＳ２０８、図１０のＳ３０２参照）。なお、通信装置４，５のＣＰＵ８も、同様の処理を行うため、通信装置４，５の設定結果データテーブル５２は図１４のように設定される。
【００８３】
この場合の、通信装置４，５，６のそれぞれの拠点における、スピーカ３５０から出力される音声の音量と、ポインタの表示について、図１５〜図１７を用いて説明する。図１５では、通信装置３が設置されている拠点の状況を簡単に表している。詳細には、通信装置３のディスプレイ３１９に表示される画像、ポインタ６１Ａ，６１Ｂ，６１Ｃ、スピーカ３５０、マイク３４８、スピーカ３５０から出力される音声、通信装置３を操作するユーザの姿を表している。同様に、図１６では、通信装置４が設置されている拠点の状況を表し、図１７では、通信装置５が設置されている拠点の状況を表している。
【００８４】
なお、以下の説明では、通信装置４のユーザが資料画像３１９１を用いて説明をしている声が、通信装置３，５のスピーカ３５０において出力された場合の音声を「音声８１」という。また、通信装置５のユーザが発言して、通信装置３，４のスピーカ３５０で出力された場合の音声を「音声８２」という。また、前述したように、第一具体例では、通信装置４のユーザと、通信装置５のユーザとが同時に発言している。
【００８５】
まず、図１５を参照して、通信装置３においてスピーカ３５０から出力される音声の音量と、ポインタの表示について説明する。なお、図１５に示すように、通信装置３のユーザは発言をしていない。図１４に示すように、設定結果データテーブル５２において、通信装置３は、第三状態に設定されている。また、状態データテーブル５１（図６参照）において、第三状態に対応付けられたポインタ表示は「非表示」であり、音量は「小」である。このため、図１５に示すように通信装置３のポインタ６１Ａは、表示されていない。図１５では、非表示であるポインタ６１Ａを２点鎖線で示している。なお、音量は「小」であるが、仮に通信装置３のユーザが発言したとしても、同じ通信装置３のスピーカ３５０からは出力されない。
【００８６】
同様に、設定結果データテーブル５２（図１４参照）において、通信装置４は第一状態に設定されている。また、状態データテーブル５１（図６参照）において、第一状態に対応付けられたポインタ表示は「標準」であり、音量は「標準」である。このため、図１５に示すように、通信装置４のポインタ６１Ｂは通常の表示をしている。また、通信装置４のユーザが発言した音声８１は、Ｓ２０４の処理（図９参照）において調整されて、「標準」の音量でスピーカ３５０から出力されている。
【００８７】
同様に、設定結果データテーブル５２（図１４参照）において、通信装置５は第二状態に設定されている。また、状態データテーブル５１（図６参照）において、第二状態に対応付けられたポインタ表示は「点滅」であり、音量は「小」である。このため、図１５に示すように、通信装置５のポインタ６１Ｃは点滅している。また、通信装置５のユーザが発言した音声８２は、Ｓ２０４の処理（図９参照）において調整されて、音量「小」でスピーカ３５０から出力されている。
【００８８】
つまり、通信装置４のユーザが発言した音声８１よりも、通信装置５のユーザが発言した音声８２の方が小さい音量になっている。言い換えると、音声８１は、音声８２より大きい音量である。このため、通信装置３のユーザは、通信装置４のユーザの声が聞き取り易くなる。通信装置４のユーザは、ポインタを動かしながら、資料画像３１９１の説明をしている。つまり、資料画像３１９１の説明をしている通信装置４のユーザの声を、より聞き取り易くしているため、通信装置３のユーザは会議の内容を理解しやすいという利点がある。
【００８９】
また、通信装置４，５，６のポインタ６１Ａ，６１Ｂ，６１Ｃの表示が、それぞれ異なっている。このため、通信装置３のユーザは、通信装置４のユーザの音声が、通信装置５のユーザの音声より大きく聞こえていることを、視覚的に確認することができる。
【００９０】
次に、図１６を参照して、通信装置４においてスピーカ３５０から出力される音声の音量と、ポインタの表示とについて説明する。図１６に示すように、通信装置４のユーザは、資料の説明をしているため発言をしている。通信装置４においても、通信装置３の場合と同様に、設定結果データテーブル５２が図１４に示すように設定されている。このため、通信装置３の場合と同様に、ポインタ６１Ａ，６１Ｂ，６１Ｃはそれぞれ、「非表示」、「標準」、および「点滅」となっている。また、通信装置５のユーザが発言した音声８２が、音量「小」でスピーカ３５０から出力されている。なお、通信装置４のユーザが発言した音声は、通信装置４では出力されていない。
【００９１】
通信装置４のポインタ６１Ｂが、「標準」で表示されているため、通信装置４のユーザは、自らの声が通信装置３，５において、音量「標準」で出力されていうことを視覚的に確認することができる。また、通信装置５のポインタ６１Ｃが、「点滅」で表示されているため、通信装置５のユーザの音声８２が、音量「小」でスピーカ３５０から出力されていることを視覚的に確認することができる。
【００９２】
次に、図１７を参照して、通信装置５においてスピーカ３５０から出力される音声の音量と、ポインタの表示について説明する。なお、図１７に示すように、通信装置５のユーザは発言をしている。通信装置５においても、通信装置３，４の場合と同様に、設定結果データテーブル５２が図１４に示すように設定されている。このため、通信装置３，４の場合と同様に、ポインタ６１Ａ，６１Ｂ，６１Ｃはそれぞれ、「非表示」、「標準」、および「点滅」となっている。また、通信装置４のユーザが発言した音声８１が、音量「標準」でスピーカ３５０から出力されている。なお、通信装置５のユーザが発言した音声は、通信装置５では出力されていない。
【００９３】
通信装置５のポインタ６１Ｃが、「点滅」で表示されているため、通信装置５のユーザは、自らの声が通信装置３，４において、音量「小」で出力されていることを視覚的に確認することができる。また、通信装置４のポインタ６１Ｂが、「標準」で表示されているため、通信装置４のユーザの音声８１が、音量「標準」でスピーカ３５０から出力されていることを視覚的に確認することができる。
【００９４】
図１１に示すように、Ｓ４０５の処理が行われたら、Ｓ４０７の処理が行われ、Ｓ４０１〜Ｓ４０６の処理が繰り返される。つまり、所定時間毎に、通信装置３，４，５のユーザが行うポインタの操作や発言に応じて、音量やポインタの表示が変化する。
【００９５】
次に、Ｓ４０４、Ｓ４０５およびＳ４０６において行われる種々の処理について、例を示しながら詳述する。なお、以下に説明する第二、第三、第四具体例において、設定結果データテーブル５２は、図１４に示すように設定されているとする。
【００９６】
Ｓ４０５の処理において、仮設定データテーブル５３で第一状態に設定されている通信装置が１台である場合については、前述の第一具体例で説明した。第二具体例では、仮設定データテーブル５３において、第一状態に設定されている通信装置が２台以上ある場合について説明する。詳細には、仮設定処理（図１２参照）によって、図１８に示すように、仮設定データテーブル５３に登録された場合について説明する。図１８に示す仮設定データテーブル５３では、通信装置３、通信装置４、および通信装置５が、それぞれ、第二状態、第一状態、および第一状態に設定されている。
【００９７】
図１１に示すように、第二具体例の場合、設定結果データテーブル５２（図１４参照）に登録されている第一状態の通信装置４と、仮設定データテーブル５３（図１８参照）に登録されている第一状態の通信装置４とが同じであると判断され（Ｓ４０４：ＹＥＳ）、Ｓ４０５の処理が行われる。
【００９８】
Ｓ４０５で行われる処理について説明する。仮設定データテーブル５３（図１８参照）において、第一状態に設定されている通信装置は、通信装置４，５の２台である。この場合、更新前の設定結果データテーブル５２（図１４参照）において第一状態に設定されている通信装置４は、そのまま第一状態に設定される。このため、図１９に示すように、設定結果データテーブル５２の通信装置４は、第一状態に設定される。また、更新前の設定結果データテーブル５２（図１４参照）において第一状態に設定されておらず、且つ、仮設定データテーブル５３（図１８参照）で第一状態に設定されている通信装置５は、更新前の設定結果データテーブル５２（図１４参照）に登録されている状態のまま設定結果データテーブル５２に登録される。このため、図１９に示すように、設定結果データテーブル５２の通信装置５は、第二状態に設定される。
【００９９】
また、仮設定データテーブル５３（図１８参照）において、第二状態に設定されている通信装置３は、図１９に示すように、第二状態として設定結果データテーブル５２に登録される。この結果、設定結果データテーブル５２は、図１９に示すように設定され、この設定結果データテーブル５２に基づいて、音声が調整されて出力され、ポインタの形状が調整されて表示される（図９のＳ２０４、Ｓ２０５、Ｓ２０８、図１０のＳ３０２参照）。
【０１００】
次に、第三具体例について説明する。第三具体例では、Ｓ４０６の処理において、仮設定データテーブル５３の第一状態に設定されている通信装置が１台である場合について説明する。詳細には、仮設定処理（図１２参照）によって、図２０に示すように、仮設定データテーブル５３に登録された場合について説明する。図２０に示す仮設定データテーブル５３では、通信装置３、通信装置４、および通信装置５が、それぞれ、第二状態、第三状態、および第一状態に設定されている。
【０１０１】
第三具体例の場合、設定結果データテーブル５２（図１４参照）に登録されている第一状態の通信装置４と、仮設定データテーブル５３（図２０参照）に登録されている第一状態の通信装置５とは、異なる通信装置である。このため、第一状態の通信装置が同じではない判断され（Ｓ４０４：ＮＯ）、Ｓ４０６の処理が行われる。
【０１０２】
Ｓ４０６において行われる処理について説明する。仮設定データテーブル５３（図２０参照）において、第一状態に設定されている通信装置は１台である。この場合には、仮設定データテーブル５３（図２０参照）に登録されている通信装置３，４，５の状態が、設定結果データテーブル５２に登録されて更新される（Ｓ４０６）。この結果、図２１に示すように、更新後の設定結果データテーブル５２では、通信装置３、通信装置４、および通信装置５が、それぞれ、第二状態、第三状態、および第一状態となる。そして、更新後の設定結果データテーブル５２（図２１参照）に基づいて、音声が調整されて出力され、ポインタの形状が調整されて表示される（図９のＳ２０４、Ｓ２０５、Ｓ２０８、図１０のＳ３０２参照）。
【０１０３】
次に、第四具体例について説明する。第四具体例では、Ｓ４０６の処理において、仮設定データテーブル５３の第一状態に設定されている通信装置が２台以上ある場合について説明する。詳細には、仮設定処理（図１２参照）によって、図２２に示すように、仮設定データテーブル５３に登録された場合について説明する。図２２に示す仮設定データテーブル５３では、通信装置３、通信装置４、および通信装置５が、それぞれ、第一状態、第三状態、および第一状態に設定されている。
【０１０４】
第四具体例の場合、設定結果データテーブル５２（図１４参照）に登録されている第一状体の通信装置４と、仮設定データテーブル５３（図２２参照）に登録されている第一状態の通信装置３，５とは、異なる通信装置である。このため、第一状態の通信装置が同じではない判断され（Ｓ４０４：ＮＯ）、Ｓ４０６の処理が行われる。
【０１０５】
Ｓ４０６において行われる処理について説明する。仮設定データテーブル５３（図２２参照）において、第一状態に設定されている通信装置は、通信装置３，５の２台である。この場合には、第一状態に設定されている通信装置のうち、ランダムに１台が選択され、選択された通信装置が第一状態に設定され、設定結果データテーブル５２に登録される。また、選択されなかった通信装置は、更新前の設定結果データテーブル５２（図１４参照）に登録されている状態のまま設定結果データテーブル５２に登録される。
【０１０６】
ここで、ランダムに選択された１台が通信装置３であるとする。この場合、選択された通信装置３が第一状態に設定され、図２３に示すように、更新後の設定結果データテーブル５２に登録される。また、選択されなかった通信装置５は、更新前の設定結果データテーブル５２（図１４参照）に登録されている第二状態のまま、更新後の設定結果データテーブル５２（図２３参照）に登録される。また、通信装置４は、仮設定データテーブル５３（図２２参照）の第三状態が、更新後の設定結果データテーブル５２（図２３参照）に登録される。そして、更新後の設定結果データテーブル５２（図２３参照）に基づいて、音声が調整されて出力され、ポインタの形状が調整されて表示される（図９のＳ２０４、Ｓ２０５、Ｓ２０８、図１０のＳ３０２参照）。以上、第一〜第四具体例で説明したように、第一状態に設定される通信装置は、２台以上にはならない。
【０１０７】
以上説明したように、本実施形態における通信装置３，４，５において種々の処理が実行される。本実施形態では、ポインタが所定の距離以上移動したか否かが判断され（図１２のＳ５０３参照）、所定の距離以上移動していれば（Ｓ５０３：ＹＥＳ）、仮設定データテーブル５３において第一状態に設定される（Ｓ５０４）。そして、設定結果データテーブル５２が更新され（図１１のＳ４０５およびＳ４０６参照）、音声が調整されて出力される（図９のＳ２０４およびＳ２０５参照）。状態データテーブル５１（図６参照）では、第一状態の音量「標準」であり、第二状態および第三状態の音量は「小」である。言い換えると、第一状態の音量は、第二状態および第三状態の音量よりも大きい。このため、ポインタが所定の距離以上動いた通信装置の音量を、他の通信装置の音量より大きくするように、音声データが調整され、音声が出力されている。よって、例えば、複数のユーザが同時に発言した場合でも、ポインタを動かしているユーザの声が、他のユーザの声よりも大きく聞こえる。つまり、ポインタを動かしているユーザの声がより聞こえ易くなる。ポインタを動かしているユーザは、例えば、重要項目の説明などをしている可能性が高い。ポインタを動かしているユーザの声が聞こえ易くなることによって、重要項目の説明を理解することが容易になる。
【０１０８】
Ｓ５０１の処理（図１２参照）では、過去の所定時間の間の座標データがあるか否かが判断されることで、資料画像３１９１上にポインタがあったか否かが判断されている。資料画像３１９１上にポインタがある場合に（Ｓ５０１：ＹＥＳ）、Ｓ５０３の処理（図１２参照）で、ポインタが所定の距離以上移動したか否かが判断される。つまり、Ｓ５０１およびＳ５０３の処理によって、資料画像３１９１上で所定の距離以上移動したか否かが判断されている。そして、資料画像３１９１上で所定の距離以上移動した場合に（Ｓ５０３：ＹＥＳ）、第一状態に設定される（Ｓ５０４、Ｓ４０５、およびＳ４０６）。これによって、ポインタが資料画像３１９１上で移動した通信装置の音量が、他の通信装置の音量より大きくなるように、音声データが調整されて出力される（Ｓ２０４およびＳ２０５）。資料画像３１９１上でポインタを動かしているユーザは、資料の説明をしている可能性が高い。このため、資料の説明をしている可能性の高いユーザの声がより聞こえ易くなる。
【０１０９】
上記実施形態において、入力部３１６が本発明の「ポインティングデバイス」に相当し、ディスプレイ３１９が本発明の「表示画面」に相当する。座標データが本発明の「ポインタ情報」に相当し、マイク３４８が本発明の「音声取得手段」に相当する。Ｓ３０５の処理（図１０参照）において音声データを作成する処理およびＳ２０３の処理（図９参照）を行うＣＰＵ８が本発明の「音声データ取得手段」に相当し、Ｓ３０４の処理（図１０参照）において座標データを作成、記憶する処理およびＳ２０６の処理（図９参照）を行うＣＰＵ８が本発明の「ポインタ情報取得手段」に相当する。Ｓ５０３の処理（図１２参照）を行うＣＰＵ８が本発明の「移動判断手段」に相当し、Ｓ２０４の処理（図９参照）、Ｓ５０４〜Ｓ５０６の処理（図１２参照）、およびＳ４０５〜Ｓ４０６の処理（図１１参照）を行うＣＰＵ８が本発明の「音声調整手段」に相当する。スピーカ３５０が本発明の「音声出力手段」に相当し、Ｓ２０５の処理（図９参照）を行うＣＰＵ８が本発明の「音声出力制御手段」に相当する。
【０１１０】
Ｓ２０２の処理（図９参照）において資料画像３１９１を表示させる処理を行うＣＰＵ８が本発明の「表示制御手段」に相当し、Ｓ５０２の処理（図１２参照）を行うＣＰＵ８が本発明の「音量判断手段」に相当する。Ｓ２０８（図９参照）、Ｓ３０２（図１０参照）、Ｓ４０５〜Ｓ４０６の処理（図１１参照）、およびＳ５０４〜Ｓ５０６の処理（図１２参照）を行うＣＰＵ８が本発明の「ポインタ表示制御手段」に相当する。
【０１１１】
Ｓ３０５の処理（図１０参照）において音声データを作成する処理およびＳ２０３の処理（図９参照）が本発明の「音声データ取得ステップ」に相当し、Ｓ３０４の処理（図１０参照）において座標データを作成、記憶する処理およびＳ２０６の処理が本発明の「ポインタ情報取得ステップ」に相当する。Ｓ５０３の処理（図１２参照）が本発明の「移動判断ステップ」に相当し、２０４の処理（図９参照）、Ｓ５０４〜Ｓ５０６の処理（図１２参照）、およびＳ４０５〜Ｓ４０６の処理（図１１参照）が本発明の「音声調整ステップ」に相当する。Ｓ２０５の処理（図９参照）が本発明の「音声出力制御ステップ」に相当する。
【０１１２】
なお、本発明は上記の実施形態に限定されるものではなく、種々の変更が可能である。例えば、ポインタ表示は、「標準」、「点滅」、「非表示」であったが、これに限定されない。例えば、状態データテーブル５１（図６参照）において、「標準」、「点滅」、「非表示」をそれぞれ、「赤」、「青」、「白」のように変更して、色でポインタの表示を分けてもよい。また、例えば、「大」、「中」、「小」のように変更して、大きさでポインタの表示を分けてもよい。
【０１１３】
また、例えば、状態データテーブル５１（図６参照）における第二状態の「点滅」を「移動させて消去」のように変更してもよい。この場合について説明する。「移動させて消去」の場合、例えば、図２４に示すポインタ６１Ｃのように、ポインタ６１Ｃをディスプレイ３１９の外縁に向けて移動させた後、ディスプレイ３１９から消去（非表示）にすることで、ポインタ６１Ｃが画面の外に弾かれたように、ユーザに視認させることができる。なお、図２４において、２つのポインタ６１Ｃと、２つのポインタ６１Ｃを結ぶ矢視とは、ポインタ６１Ｃが矢視方向に移動していることを示している。第二状態では、音量は「小」である。このように、ポインタ６１Ｃを表示させることによって、ユーザに音量が小さくなっていることを報知することができる。特に、通信装置５のユーザは、他の通信装置３，４では、自分の声の音量が小さくなって再生されているということを視覚的に確認することができる。
【０１１４】
また、資料画像３１９１上にポインタがある場合にのみポインタが表示されていた（Ｓ３０３、Ｓ３０４、Ｓ２０６、およびＳ２０８参照）が、これに限定されない。例えば、ポインタが資料画像３１９１上にあるか否を問わず、ディスプレイ３１９上のどの位置にあっても座標データを通信装置間で送受信し、表示してもよい。
【０１１５】
また、Ｓ４０５およびＳ４０６の処理（図１１参照）において、設定結果データテーブル５２で第一状態に設定される通信装置は１台のみであったが、これに限定されない。例えば、複数台を同時に第一状態に設定できるようにしてもよい。
【０１１６】
また、第二処理が開始されると、Ｓ４０５およびＳ４０６の処理において、設定結果データテーブル５２が更新されて、音量とポインタの表示とが第一状態、第二状態、第三状態とのいずれかに設定されていたが、これに限定されない。例えば、所定の時間（例えば、１０秒）の間、ユーザがポインタを移動させなければ、全てのポインタの表示を「標準」に設定し、音量を「標準」に設定してもよい。この設定は、上記実施形態の場合では、第一状態のポインタ表示と音量とが「標準」であるので（図６参照）、設定結果データテーブル５２において、通信装置３，４，５をすべて第一状態に設定することで実現できる。この変形例について、図２５に示すフローチャートを用いて説明する。
【０１１７】
図２５は、図８に示すメイン処理にＳ１０７〜Ｓ１１１の処理を追加したフローチャートである。以下、図８に示すメイン処理で説明した処理については、説明を省略する。図２５に示すフローチャートでは、まず、Ｓ１０１〜Ｓ１０４の処理が行われる。次いで、会議の終了の指示があれば（Ｓ１０５；ＹＥＳ）、Ｓ１０６の処理を行ってメイン処理を終了する。Ｓ１０５の処理において、会議の終了の指示がない場合には（Ｓ１０５：ＮＯ）、所定の時間の間に、通信装置３，４，５のポインタ６１Ａ，６１Ｂ，６１Ｃが移動したか否かが判断される（Ｓ１０７）。所定の時間は、例えば、１０秒である。ポインタ６１Ａ，６１Ｂ，６１Ｃが移動した場合には（Ｓ１０７：ＹＥＳ）、Ｓ１０３の処理によって開始された第二処理（図１１参照）が実行中であるか否かが判断される（Ｓ１０８）。実行中であれば（Ｓ１０８：ＹＥＳ）、Ｓ１０４の処理が繰り返される。実行中でなければ（Ｓ１０８：ＮＯ）、Ｓ１０３の処理に戻り、第二処理が開始されて処理が繰り返される。
【０１１８】
Ｓ１０７の処理において、所定の時間の間にポインタ６１Ａ，６１Ｂ，６１Ｃの移動がない場合には（Ｓ１０７：ＮＯ）、第二処理が実行中であるか否かが判断される（Ｓ１０９）。実行中でなければ（Ｓ１０９：ＮＯ）、Ｓ１０４に戻り、処理が繰り返される。実行中であれば（Ｓ１０９：ＹＥＳ）、第二処理が終了される（Ｓ１１０）。次いで、図７に示すように、設定結果データテーブル５２において、通信装置３，４，５がすべて「第一状態」に設定される（Ｓ１１１）。これによって、画像音声再生処理（図９参照）、および第一処理（図１０参照）によって、音声が「標準」で出力され、ポインタ６１Ａ，６１Ｂ，６１が「標準」で表示される。次いで、Ｓ１０４に戻り、処理が繰り返される。
【０１１９】
例えば、所定時間（以下、１０秒とする。）の間にユーザがポインタ６１Ａ，６１Ｂ，６１を移動させていれば、Ｓ１０４、Ｓ１０５、Ｓ１０７、Ｓ１０８の処理が繰り返される。つまり、例えば、図１５〜図１７に示すように、音量とポインタ６１Ａ，６１Ｂ，６１の表示とが状況に応じて変更される。その後、１０秒間ユーザがポインタ６１Ａ，６１Ｂ，６１を移動させなければ（Ｓ１０７：ＮＯ）、第二処理が実行中であるので（Ｓ１０９：ＹＥＳ）、第二処理が終了され（Ｓ１１０）、設定結果データテーブル５２（図７参照）が第一状態に設定される（Ｓ１１１）。つまり、音声が「標準」で出力され、ポインタ６１Ａ，６１Ｂ，６１が「標準」で表示される。次いで、Ｓ１０４に戻り、処理が繰り返される。その後、継続してユーザがポインタ６１Ａ，６１Ｂ，６１を移動させなければ、設定結果データテーブル５２において、通信装置３，４，５がすべて「第一状態」に設定されたままであるので、継続して、音声が「標準」で出力され、ポインタ６１Ａ，６１Ｂ，６１が「標準」で表示される（Ｓ１０４、Ｓ１０５、Ｓ１０７：ＮＯ、１０９：ＮＯ）
【０１２０】
その後、ユーザがポインタ６１Ａ，６１Ｂ，６１を移動させれば（Ｓ１０７：ＹＥＳ）、第二処理が実行中でないので（Ｓ１０８：ＮＯ）、第二処理が開始され（Ｓ１０３）、Ｓ１０４、Ｓ１０５、Ｓ１０７、およびＳ１０８の処理が繰り返される。つまり、例えば、図１５〜図１７に示すように、音量とポインタ６１Ａ，６１Ｂ，６１の表示とが状況に応じて変更される。
【０１２１】
以上、図２５に示す変形例では、所定の時間の間、ユーザがポインタ６１Ａ，６１Ｂ，６１を移動させなければ、全てのポインタ６１Ａ，６１Ｂ，６１の表示が「標準」で表示され、音量が「標準」で出力される。なお、ポインタ６１Ａ，６１Ｂ，６１の表示と音量とを「標準」に設定する条件は、所定の時間の間、ユーザがポインタ６１Ａ，６１Ｂ，６１を移動させない場合に限られず、変更が可能である。例えば、ユーザが入力部３１６を介して指示を入力した場合に、ポインタ６１Ａ，６１Ｂ，６１の表示を「標準」で表示し、音量を「標準」で出力するようにしてもよい。これは、例えば、Ｓ１０７の処理（図２５参照）を、ユーザが、ポインタの表示を「標準」で表示し、音量を「標準」で出力するように指示を入力したか否かを判断するステップに変更することによって実現できる。詳細には、ユーザが指示を入力した場合には、Ｓ１０９の処理を実行するように設定し、ユーザが指示を入力していない場合、または、指示を解除した場合には、Ｓ１０８の処理を行うように設定すれば実現できる。
【０１２２】
また、上記実施形態は、通信装置３，４，５が直接通信を行うＰ２Ｐ（Ｐｅｅｒ  ｔｏ  Ｐｅｅｒ）方式で、通信を行っていたが、これに限定されない。例えば、サーバを介して通信を行ってもよい。また、音量の調整や、ポインタ６１Ａ，６１Ｂ，６１Ｃの表示の変更をする処理が通信装置３，４，５のＣＰＵ８によって行われていたが、これに限定されない。例えば、サーバのＣＰＵが、音量の調整をし、ポインタ６１Ａ，６１Ｂ，６１Ｃの形状の変更する指示を通信装置３，４，５に送信してもよい。この場合、サーバのＣＰＵは、自装置であるサーバとは異なる通信装置３，４，５の音声データと座標データとを受信する。受信した音声データを調整して音量を変更して、通信装置３，４，５に送信することで、通信装置３，４，５に備えられたスピーカ３５０に出力させる。また、ポインタ６１Ａ，６１Ｂ，６１Ｃの形状を変更する指示を通信装置３，４，５に送信することで、通信装置３，４，５のディスプレイ３１９に変更後のポインタ６１Ａ，６１Ｂ，６１Ｃを表示させる。このようにしても、上記実施形態の場合と同様に、通信装置３，４，５において出力される音量を調整し、ポインタ６１Ａ，６１Ｂ，６１Ｃの表示を変更することができる。この場合、サーバが本発明の「通信装置」に相当する。
【符号の説明】
【０１２３】
１    テレビ会議システム
２    ネットワーク
３，４，５    通信装置
８    ＣＰＵ
５１    状態データテーブル
５２    設定結果データテーブル
５３    仮設定データテーブル
６１Ａ，６１Ｂ，６１Ｃ    ポインタ
８１    音声
８２    音声
３１６    入力部
３１９    ディスプレイ
３４８    マイク
３５０    スピーカ
３１９１    資料画像
【図１】
0005370314.tif 000002
【図２】
0005370314.tif 000003
【図３】
0005370314.tif 000004
【図４】
0005370314.tif 000005
【図５】
0005370314.tif 000006
【図６】
0005370314.tif 000007
【図７】
0005370314.tif 000008
【図８】
0005370314.tif 000009
【図９】
0005370314.tif 000010
【図１０】
0005370314.tif 000011
【図１１】
0005370314.tif 000012
【図１２】
0005370314.tif 000013
【図１３】
0005370314.tif 000014
【図１４】
0005370314.tif 000015
【図１５】
0005370314.tif 000016
【図１６】
0005370314.tif 000017
【図１７】
0005370314.tif 000018
【図１８】
0005370314.tif 000019
【図１９】
0005370314.tif 000020
【図２０】
0005370314.tif 000021
【図２１】
0005370314.tif 000022
【図２２】
0005370314.tif 000023
【図２３】
0005370314.tif 000024
【図２４】
0005370314.tif 000025
【図２５】
0005370314.tif 000026